(57)【要約】【課題】ＡＦセンサを用いてスポット測光するカメラに於いて、ＡＦの応答性を向上させたカメラの測光装置を提供することである。【解決手段】マルチＡＦセンサ１４にて焦点検出が行われ、この検出結果に基づいて、ＡＦセンサ制御部２１及び焦点演算部２３にて焦点検出領域内の焦点調節が行われる。また、上記マルチＡＦセンサ１４の検出結果に基づいて、ＡＦセンサ制御部２１及びスポット測光演算部２２にて、焦点検出領域内の被写体輝度が測光される。そして、この測光が所定回数繰り返し動作されて、フリッカキャンセル判断部２４によって蛍光灯等の脈動成分が除去される。ここで、モードスイッチ２５によって移動被写体の撮影に適するモードが選択されている場合の上記所定回数が、静止被写体の撮影に適するモードが選択されている場合の上記所定回数よりも少なく制限される。【選択図】      図１
2006146058.tif 000002
【特許請求の範囲】
【請求項１】
焦点検出を行う焦点検出センサから成る焦点検出手段と、
上記焦点検出手段の検出結果に基づいて、焦点検出領域内の焦点調節を行う測距手段と、
上記焦点検出手段の検出結果に基づいて、焦点検出領域内の被写体輝度を測光する測光手段と、
上記測光手段を所定回数繰り返し動作させて、照明光の脈動成分を除去するフリッカキャンセル手段と、
移動被写体の撮影に適するモードと、静止被写体の撮影に適するモードとを選択する選択手段と、
上記選択手段によって移動被写体の撮影に適するモードが選択されている場合の上記所定回数を、静止被写体の撮影に適するモードが選択されている場合の上記所定回数よりも少なくする第１の制限手段と、
を具備することを特徴とするカメラの測光装置。
【請求項２】
焦点検出を行う焦点検出センサから成る焦点検出手段と、
上記焦点検出手段の検出結果に基づいて、焦点検出領域内の焦点調節を行う測距手段と、
上記焦点検出手段の検出結果に基づいて、焦点検出領域内の被写体輝度を測光する測光手段と、
上記測光手段を繰り返し動作させて、照明光の脈動成分を除去するフリッカキャンセル手段と、
上記フリッカキャンセル手段の動作中の上記焦点検出センサの電荷蓄積時間の長短を判断し、電荷蓄積時間の長短に応じて上記フリッカキャンセル手段の動作回数若しくは動作時間を制限する第２の制限手段と、
移動被写体の撮影に適するモードと、静止被写体の撮影に適するモードとを選択する選択手段と、
上記選択手段によって移動被写体の撮影に適するモードが選択されている場合の上記第２の制限手段に於ける上記フリッカキャンセル手段の動作回数若しくは動作時間は、静止被写体の撮影に適するモードが選択されている場合の上記動作回数よりも少なくするか、若しくは上記動作時間を短くすることを特徴とするカメラの測光装置。
【請求項３】
焦点検出を行う焦点検出センサから成る焦点検出手段と、
上記焦点検出手段の検出結果に基づいて、焦点検出領域内の焦点調節を行う測距手段と、
上記焦点検出手段の検出結果に基づいて、焦点検出領域内の被写体輝度を測光する測光手段と、
上記測光手段を繰り返し動作させて、照明光の脈動成分を除去するフリッカキャンセル手段と、
上記フリッカキャンセル手段の動作中の上記焦点検出センサの動作間隔の長短を判断し、動作間隔の長短に応じて上記フリッカキャンセル手段の動作回数を制限する第３の制限手段と、
移動被写体の撮影に適するモードと、静止被写体の撮影に適するモードとを選択する選択手段と、
を具備し、
上記選択手段によって移動被写体の撮影に適するモードが選択されている場合の上記第３の制限手段に於ける上記フリッカキャンセル手段の動作回数は、上記焦点検出センサの動作間隔が長い程少なくすることを特徴とするカメラの測光装置。
【請求項４】
上記選択手段に於いて、移動被写体の撮影に適するモードとは、上記焦点検出手段を繰り返し動作させて合焦状態が検出された後でも連続的に焦点検出動作を行うように制御するコンティニュアスＡＦモードか、若しくは、連続的に撮影動作を行う連写モードであることを特徴とする請求項１乃至３の何れか１項に記載のカメラの測光装置。
【請求項５】
上記第２の制限手段は、上記フリッカキャンセル手段の動作中の上記焦点検出センサの電荷蓄積時間の総時間を演算し、電荷蓄積時間の総時間に応じて上記フリッカキャンセル手段の動作時間を所定時間に制限することを特徴とする請求項２に記載のカメラの測光装置。
【請求項６】
上記第２の制限手段は、上記フリッカキャンセル手段の第１回目の動作中の上記焦点検出センサの電荷蓄積時間を演算し、電荷蓄積時間に応じて上記フリッカキャンセル手段の動作回数を所定回数に制限することを特徴とする請求項２に記載のカメラの測光装置。
【請求項７】
光源の種類を検出する光源検出手段を更に具備し、
上記光源検出手段によって光源は蛍光灯と判断された場合のみ上記フリッカキャンセル手段を動作させることを特徴とする請求項１乃至３の何れか１項に記載のカメラの測光装置。
【請求項８】
焦点検出を行う焦点検出手段と、
上記焦点検出手段の検出結果に基づいて、焦点検出領域内の焦点調節を行う測距手段と、
上記焦点検出手段の検出結果に基づいて、上記焦点検出領域内の被写体輝度を測光する測光手段と、
上記測光手段を繰り返し動作させて、照明光の脈動成分を除去するフリッカキャンセル手段と、
移動被写体を撮影するための第１のモードと、静止被写体を撮影するための第２のモードの何れかのモードを選択する選択手段と、
上記選択手段によって上記第１のモードが選択されている場合の上記フリッカキャンセル手段の動作回数を、上記第２のモードが選択されている場合の上記フリッカキャンセル手段の動作回数よりも少なく制御する第１の制御手段と、
を具備することを特徴とするカメラの測光装置。
【請求項９】
焦点検出を行う焦点検出手段と、
上記焦点検出手段の検出結果に基づいて、焦点検出領域内の焦点調節を行う測距手段と、
上記焦点検出手段の検出結果に基づいて、焦点検出領域内の被写体輝度を測光する測光手段と、
上記測光手段を繰り返し動作させて、照明光の脈動成分を除去するフリッカキャンセル手段と、
移動被写体を撮影する第１のモードと、静止被写体を撮影する第２のモードの何れかのモードとを選択する選択手段と、
上記フリッカキャンセル手段の動作中の上記焦点検出センサの電荷蓄積時間の長さに応じ、上記選択手段によって上記第１のモードが選択されている場合の上記フリッカキャンセル手段の実質的な動作時間を、上記第２のモードが選択されている場合の上記実質的な動作時間よりも短くなるように制御する第２の制御手段と、
を具備することを特徴とするカメラの測光装置。
【請求項１０】
上記フリッカキャンセル手段の実質的な動作時間とは、上記フリッカキャンセル手段の動作回数であり、
上記第２の制御手段は、上記選択手段によって上記第１のモードが選択されている場合の上記フリッカキャンセル手段の動作回数を、上記第２のモードが選択されている場合の動作回数よりも少なくするように制御することを特徴とする請求項９に記載のカメラの測光装置。
【請求項１１】
上記フリッカキャンセル手段の実質的な動作時間とは、上記フリッカキャンセル手段の動作時間であり、
上記第２の制御手段は、上記選択手段によって上記第１のモードが選択されている場合の上記フリッカキャンセル手段の動作時間を、上記第２のモードが選択されている場合の動作時間よりも短くするように制御することを特徴とする請求項９に記載のカメラの測光装置。
【請求項１２】
焦点検出を行う焦点検出手段と、
上記焦点検出手段の検出結果に基づいて、焦点検出領域内の焦点調節を行う測距手段と、
上記焦点検出手段の検出結果に基づいて、焦点検出領域内の被写体輝度を測光する測光手段と、
上記測光手段を繰り返し動作させて、照明光の脈動成分を除去するフリッカキャンセル手段と、
上記フリッカキャンセル手段の動作中の上記焦点検出センサの動作間隔の長さを判断し、該動作間隔の長さに応じて上記フリッカキャンセル手段の動作回数を制限する第３の制御手段と、
移動被写体を撮影する第１のモードと、静止被写体を撮影する第２のモードの何れかを選択する選択手段と、
を具備し、
上記第３の制御手段は、上記選択手段によって第１のモードが選択されている場合の上記フリッカキャンセル手段の動作回数を、上記焦点検出センサの動作間隔が長い程少なくすることを特徴とするカメラの測光装置。
【請求項１３】
上記選択手段で選択される上記第１のモードとは、上記焦点検出手段を繰り返し動作させて合焦状態が検出された後でも連続的に焦点検出動作を行うように制御するコンティニュアスＡＦモード及び連続的に撮影動作を行う連写モードの何れかであることを特徴とする請求項８、１０、１１及び１２の何れか１項に記載のカメラの測光装置。
【請求項１４】
上記第２の制御手段は、上記フリッカキャンセル手段の動作中の上記焦点検出手段の電荷蓄積時間の総時間を演算し、電荷蓄積時間の総時間に応じて上記フリッカキャンセル手段の動作時間を所定時間に制限することを特徴とする請求項１０及び１１の何れか１項に記載のカメラの測光装置。
【請求項１５】
上記第２の制御手段は、上記フリッカキャンセル手段の第１回目の動作中の上記焦点検出センサの電荷蓄積時間を演算し、該電荷蓄積時間に応じて上記フリッカキャンセル手段の動作回数を所定回数に制限することを特徴とする請求項１０及び１１の何れか１項に記載のカメラの測光装置。
【請求項１６】
光源の種類を検出する光源検出手段を更に具備し、
上記光源検出手段によって光源は蛍光灯と判断された場合のみ上記フリッカキャンセル手段を動作させることを特徴とする請求項８、１０、１１及び１２の何れか１項に記載のカメラの測光装置。
【発明の詳細な説明】
【技術分野】
【０００１】
本発明はカメラの測光装置に関し、より詳細には、ＡＦ（オートフォーカス）センサでスポット測光を行うカメラの測光装置に関するものである。
【背景技術】
【０００２】
従来より、ＡＦ（オートフォーカス）センサを利用して被写体輝度をスポット的に測光する技術は公知である。そして、例えば、ＡＦセンサでスポット測光を行い、複数回の積分動作の平均をとって、脈動成分を含む蛍光灯等の照明光のフリッカの影響をキャンセルしようとした技術が知られている（例えば、特許文献１参照）。
【０００３】
図１９は、こうしたフリッカキャンセルについて説明するもので、（ａ）はフリッカキャンセル無しの場合の動作を説明する図、（ｂ）はフリッカキャンセル有りの場合の動作を説明する図である。
【０００４】
図１９（ａ）では、ＡＦセンサはＡＦ演算が行われると共にスポット測光演算にも使用される。すなわち、同じセンサデータがＡＦ演算とスポット測光演算の両方に使用されている。そして、ＡＦ演算は頻繁に行われている。
【０００５】
一方、フリッカキャンセル有りの場合は、図１９（ｂ）に示されるように、ＡＦ演算が、例えば８回のうち最初の１回だけでその他のタイミングではスポット測光演算のために待機した状態となっている。
【特許文献１】特開昭６２−２５９０２２号公報
【発明の開示】
【発明が解決しようとする課題】
【０００６】
ところで、上述したフリッカをキャンセルするには複数回の積分動作が必要である。一方、ＡＦはフリッカキャンセルが必要なく、スポット測光動作のみが必要である。
【０００７】
しかしながら、上述した特許文献１に記載の技術では、ＡＦセンサによってＡＦもスポット測光も行うので、フリッカキャンセル中の時間がＡＦにとっては無駄な時間になっている。すなわち、フリッカキャンセルを行うと、ＡＦの応答性が悪くなってしまうものであった。
【０００８】
これは、静止した被写体撮影時にはあまり影響しないものの、移動する被写体の撮影時には、ＡＦの応答性の低下は致命的なものとなる。したがって、移動する被写体の撮影時には、フリッカキャンセルを簡素化する必要がある。
【０００９】
本発明は、上記実情に鑑みてなされたものであり、ＡＦセンサを用いてスポット測光するカメラに於いて、ＡＦの応答性を向上させたカメラの測光装置を提供することを目的とする。
【課題を解決するための手段】
【００１０】
すなわち請求項１に記載の発明は、焦点検出を行う焦点検出センサから成る焦点検出手段と、上記焦点検出手段の検出結果に基づいて、焦点検出領域内の焦点調節を行う測距手段と、上記焦点検出手段の検出結果に基づいて、焦点検出領域内の被写体輝度を測光する測光手段と、上記測光手段を所定回数繰り返し動作させて、照明光の脈動成分を除去するフリッカキャンセル手段と、移動被写体の撮影に適するモードと、静止被写体の撮影に適するモードとを選択する選択手段と、上記選択手段によって移動被写体の撮影に適するモードが選択されている場合の上記所定回数を、静止被写体の撮影に適するモードが選択されている場合の上記所定回数よりも少なくする第１の制限手段と、を具備することを特徴とする。
【００１１】
請求項２に記載の発明は、焦点検出を行う焦点検出センサから成る焦点検出手段と、上記焦点検出手段の検出結果に基づいて、焦点検出領域内の焦点調節を行う測距手段と、上記焦点検出手段の検出結果に基づいて、焦点検出領域内の被写体輝度を測光する測光手段と、上記測光手段を繰り返し動作させて、照明光の脈動成分を除去するフリッカキャンセル手段と、上記フリッカキャンセル手段の動作中の上記焦点検出センサの電荷蓄積時間の長短を判断し、電荷蓄積時間の長短に応じて上記フリッカキャンセル手段の動作回数若しくは動作時間を制限する第２の制限手段と、移動被写体の撮影に適するモードと、静止被写体の撮影に適するモードとを選択する選択手段と、上記選択手段によって移動被写体の撮影に適するモードが選択されている場合の上記第２の制限手段に於ける上記フリッカキャンセル手段の動作回数若しくは動作時間は、静止被写体の撮影に適するモードが選択されている場合の上記動作回数よりも少なくするか、若しくは上記動作時間を短くすることを特徴とする。
【００１２】
請求項３に記載の発明は、焦点検出を行う焦点検出センサから成る焦点検出手段と、上記焦点検出手段の検出結果に基づいて、焦点検出領域内の焦点調節を行う測距手段と、上記焦点検出手段の検出結果に基づいて、焦点検出領域内の被写体輝度を測光する測光手段と、上記測光手段を繰り返し動作させて、照明光の脈動成分を除去するフリッカキャンセル手段と、上記フリッカキャンセル手段の動作中の上記焦点検出センサの動作間隔の長短を判断し、動作間隔の長短に応じて上記フリッカキャンセル手段の動作回数を制限する第３の制限手段と、移動被写体の撮影に適するモードと、静止被写体の撮影に適するモードとを選択する選択手段と、を具備し、上記選択手段によって移動被写体の撮影に適するモードが選択されている場合の上記第３の制限手段に於ける上記フリッカキャンセル手段の動作回数は、上記焦点検出センサの動作間隔が長い程少なくすることを特徴とする。
【００１３】
請求項４に記載の発明は、請求項１乃至３の何れか１項に記載の発明に於いて、上記選択手段に於いて、移動被写体の撮影に適するモードとは、上記焦点検出手段を繰り返し動作させて合焦状態が検出された後でも連続的に焦点検出動作を行うように制御するコンティニュアスＡＦモードか、若しくは、連続的に撮影動作を行う連写モードであることを特徴とする。
【００１４】
請求項５に記載の発明は、請求項２に記載の発明に於いて、上記第２の制限手段は、上記フリッカキャンセル手段の動作中の上記焦点検出センサの電荷蓄積時間の総時間を演算し、電荷蓄積時間の総時間に応じて上記フリッカキャンセル手段の動作時間を所定時間に制限することを特徴とする。
【００１５】
請求項６に記載の発明は、請求項２に記載の発明に於いて、上記第２の制限手段は、上記フリッカキャンセル手段の第１回目の動作中の上記焦点検出センサの電荷蓄積時間を演算し、電荷蓄積時間に応じて上記フリッカキャンセル手段の動作回数を所定回数に制限することを特徴とする。
【００１６】
請求項７に記載の発明は、請求項１乃至３の何れか１項に記載の発明に於いて、光源の種類を検出する光源検出手段を更に具備し、上記光源検出手段によって光源は蛍光灯と判断された場合のみ上記フリッカキャンセル手段を動作させることを特徴とする。
【００１７】
請求項８に記載の発明は、焦点検出を行う焦点検出手段と、上記焦点検出手段の検出結果に基づいて、焦点検出領域内の焦点調節を行う測距手段と、上記焦点検出手段の検出結果に基づいて、上記焦点検出領域内の被写体輝度を測光する測光手段と、上記測光手段を繰り返し動作させて、照明光の脈動成分を除去するフリッカキャンセル手段と、移動被写体を撮影するための第１のモードと、静止被写体を撮影するための第２のモードの何れかのモードを選択する選択手段と、上記選択手段によって上記第１のモードが選択されている場合の上記フリッカキャンセル手段の動作回数を、上記第２のモードが選択されている場合の上記フリッカキャンセル手段の動作回数よりも少なく制御する第１の制御手段と、を具備することを特徴とする。
【００１８】
請求項９に記載の発明は、焦点検出を行う焦点検出手段と、上記焦点検出手段の検出結果に基づいて、焦点検出領域内の焦点調節を行う測距手段と、上記焦点検出手段の検出結果に基づいて、焦点検出領域内の被写体輝度を測光する測光手段と、上記測光手段を繰り返し動作させて、照明光の脈動成分を除去するフリッカキャンセル手段と、移動被写体を撮影する第１のモードと、静止被写体を撮影する第２のモードの何れかのモードとを選択する選択手段と、上記フリッカキャンセル手段の動作中の上記焦点検出センサの電荷蓄積時間の長さに応じ、上記選択手段によって上記第１のモードが選択されている場合の上記フリッカキャンセル手段の実質的な動作時間を、上記第２のモードが選択されている場合の上記実質的な動作時間よりも短くなるように制御する第２の制御手段と、を具備することを特徴とする。
【００１９】
請求項１０に記載の発明は、請求項９に記載の発明に於いて、上記フリッカキャンセル手段の実質的な動作時間とは、上記フリッカキャンセル手段の動作回数であり、上記第２の制御手段は、上記選択手段によって上記第１のモードが選択されている場合の上記フリッカキャンセル手段の動作回数を、上記第２のモードが選択されている場合の動作回数よりも少なくするように制御することを特徴とする。
【００２０】
請求項１１に記載の発明は、請求項９に記載の発明に於いて、上記フリッカキャンセル手段の実質的な動作時間とは、上記フリッカキャンセル手段の動作時間であり、上記第２の制御手段は、上記選択手段によって上記第１のモードが選択されている場合の上記フリッカキャンセル手段の動作時間を、上記第２のモードが選択されている場合の動作時間よりも短くするように制御することを特徴とする。
【００２１】
請求項１２に記載の発明は、焦点検出を行う焦点検出手段と、上記焦点検出手段の検出結果に基づいて、焦点検出領域内の焦点調節を行う測距手段と、上記焦点検出手段の検出結果に基づいて、焦点検出領域内の被写体輝度を測光する測光手段と、上記測光手段を繰り返し動作させて、照明光の脈動成分を除去するフリッカキャンセル手段と、上記フリッカキャンセル手段の動作中の上記焦点検出センサの動作間隔の長さを判断し、該動作間隔の長さに応じて上記フリッカキャンセル手段の動作回数を制限する第３の制御手段と、移動被写体を撮影する第１のモードと、静止被写体を撮影する第２のモードの何れかを選択する選択手段と、を具備し、上記第３の制御手段は、上記選択手段によって第１のモードが選択されている場合の上記フリッカキャンセル手段の動作回数を、上記焦点検出センサの動作間隔が長い程少なくすることを特徴とする。
【００２２】
請求項１３に記載の発明は、請求項８、１０、１１及び１２の何れか１項に記載の発明に於いて、上記選択手段で選択される上記第１のモードとは、上記焦点検出手段を繰り返し動作させて合焦状態が検出された後でも連続的に焦点検出動作を行うように制御するコンティニュアスＡＦモード及び連続的に撮影動作を行う連写モードの何れかであることを特徴とする。
【００２３】
請求項１４に記載の発明は、請求項１０及び１１の何れか１項に記載の発明に於いて、上記第２の制御手段は、上記フリッカキャンセル手段の動作中の上記焦点検出手段の電荷蓄積時間の総時間を演算し、電荷蓄積時間の総時間に応じて上記フリッカキャンセル手段の動作時間を所定時間に制限することを特徴とする。
【００２４】
請求項１５に記載の発明は、請求項１０及び１１の何れか１項に記載の発明に於いて、上記第２の制御手段は、上記フリッカキャンセル手段の第１回目の動作中の上記焦点検出センサの電荷蓄積時間を演算し、該電荷蓄積時間に応じて上記フリッカキャンセル手段の動作回数を所定回数に制限することを特徴とする。
【００２５】
請求項１６に記載の発明は、請求項８、１０、１１及び１２の何れか１項に記載の発明に於いて、光源の種類を検出する光源検出手段を更に具備し、上記光源検出手段によって光源は蛍光灯と判断された場合のみ上記フリッカキャンセル手段を動作させることを特徴とする。
【発明の効果】
【００２６】
本発明によれば、ＡＦセンサを用いてスポット測光するカメラに於いて、ＡＦの応答性を向上させたカメラの測光装置を提供することができる。
【発明を実施するための最良の形態】
【００２７】
以下、図面を参照して本発明の実施形態を説明する。
【００２８】
（第１の実施形態）
図１は、本発明のカメラの測光装置が適用された一眼レフレックスカメラ（以下、一眼レフカメラと略記する）の概念を示したブロック構成図である。
【００２９】
図１に於いて、図示されない被写体からの光束の一部は、メインミラー１１を透過して該メインミラー１１の後方に取り付けられたサブミラー１２によって下方に反射される。そして、サブミラー１２で反射された光束は、焦点検出手段としてＡＦ光学系１３内の自動焦点調整（ＡＦ）を行うためのマルチＡＦセンサ１４へ導かれる。一方、メインミラー１１の表面で反射された光束は、フォーカシングスクリーン１６、ペンタプリズム１７を介して接眼レンズ１８に至る。
【００３０】
上記メインミラー１１は、被写体の観察時には図示される位置（ダウン位置）に配置されているが、撮影時には図示されない所定の退避位置（アップ位置）へ移動可能とされている。その結果、撮影時には、被写体光束は撮像素子１９に導かれるようになっている。
【００３１】
また、上記マルチＡＦセンサ１４は、スポット測光演算部２２及び焦点演算部２３と共に制御手段であるＡＦセンサ制御部２１によって、その動作が制御される。上記スポット測光演算部２２には、スポット測光時の蛍光灯等のフリッカのキャンセルを行うか否かの判断結果がフリッカキャンセル判断部２４から供給される。フリッカキャンセル手段であるフリッカキャンセル判断部２４は、選択手段であるモードスイッチ２５からの指示に従って判断を行う。尚、上記フリッカキャンセル判断部２４は、フリッカキャンセル手段、第１乃至第３の制限手段を構成している。
【００３２】
このような構成の一眼レフカメラに於いて、図示されない被写体の観察時には、メインミラー１１が図示された位置に配置されている。そして、メインミラー１１で反射された光束が、フォーカシングスクリーン１６、ペンタプリズム１７及び接眼レンズ１８を介してユーザの目（図示せず）に至る。それと共に、メインミラー１１を透過してサブミラー１２で反射された光束から、ＡＦ光学系１３内のマルチＡＦセンサ１４によって、焦点が検出される。
【００３３】
そして、上記マルチＡＦセンサ１４の検出結果に基づいて、該マルチＡＦセンサ１４、ＡＦセンサ制御部２１と共に測距手段を構成する焦点演算部２３にて、焦点検出領域内の焦点調節を行うための演算がなされる。一方、上記マルチＡＦセンサ１４の検出結果に基づいて、該マルチＡＦセンサ１４、ＡＦセンサ制御部と共に測光手段を構成するスポット測光演算部２２によって、焦点検出領域内の被写体輝度が測光されて演算される。上記測光は、フリッカキャンセル判断部２４により所定回数繰り返し動作され、これにより照明光の脈動成分が除去される。
【００３４】
一方で、移動被写体の撮影に適するモードと静止被写体の撮影に適するモードとがモードスイッチ２５により選択される。そして、モードスイッチ２５によって移動被写体の撮影に適するモードが選択されている場合の上記所定回数は、静止被写体の撮影に適するモードが選択されている場合の上記所定回数よりも少なく設定される。
【００３５】
撮影時には、メインミラー１１は図示されない退避位置に移動され、図示されない被写体からの光束は、撮像素子１９に導かれて結像するようになっている。
【００３６】
図２は、本実施形態による一眼レフカメラの光学系の構成を詳細に示した図である。
【００３７】
この光学系は、先ず、大別して、５つのレンズ群３１ａ〜３１ｅと撮影絞り３２とから成る撮影レンズ３０と、撮影時に撮影光路より退避可能なメインミラー１１と、撮影する画面等を確認するためのファインダ光学系４５と、ＡＦ光学系１３と、ＣＣＤ（撮像素子）１９の前面に配置されたシャッタ５２と、光源検出部５０とで構成されている。
【００３８】
上記撮影レンズ３０は、第１レンズ群３１ａ及び第２レンズ群３１ｂに於いてフォーカシング作用を行い、第３レンズ群３１ｃ及び第４レンズ群３１ｄに於いてズーム作用を行う。また、第５レンズ群３１ｅは、固定されているレンズである。
【００３９】
このような構成の撮影レンズ３０でズーミングする場合には、第３レンズ群３１ｃ及び第４レンズ群３１ｄが駆動されると同時に、第１レンズ群３１ａ及び第２レンズ群３１ｂが、図示されないカム構造により駆動されて、ズーミング動作が行われながら、ピントずれが防止される。
【００４０】
また、本実施形態では、ＴＴＬ位相差方式により焦点検出が行われるので、上記ＡＦ光学系１３は、視野絞り３５と、赤外カットフィルタ３６と、コンデンサレンズ３７と、ミラー３８と、再結像絞り３９と、再結像レンズ４０及びＡＦＩＣ（マルチＡＦセンサ）１４とで構成されている。
【００４１】
上記視野絞り３５は、撮影画面中からＡＦ検出する視野を決定し、再結像レンズ４０によって分割される２つの光像が干渉しないようにする。赤外カットフィルタ３６は、ＡＦ検出に不要な赤外光を除去し、当該赤外光による収差ずれを防ぐ。
【００４２】
上記コンデンサレンズ３７は、再結像レンズ４０と共にフィルム等価面近傍に結像した被写体光像をＡＦＩＣ１４に再結像させるものである。コンデンサレンズ３７を通過した２つの光束は、ＡＦＩＣ１４上の２つの光電変換素子列に再結像される。
【００４３】
上記再結像絞り３９は、光軸に対称で且つ対を成しているもので、再結像レンズ４０の前に配置されている。また、上記再結像レンズ４０は、撮影レンズ３０による被写体光像の結像面、すなわち、ＣＣＤ等価面の近傍に設置される。
【００４４】
上記ファインダ光学系４５は、詳細には、フォーカシングスクリーン１６と、コンデンサレンズ４６と、ペンタプリズム１７と、モールドダハミラー４７と、接眼レンズ１８及び測光手段である測光センサ（ＡＥセンサ）４８とで構成されている。
【００４５】
また、ファインダ光学系４５の近傍には光源検出部５０が設けられている。この光源検出部５０には、光源の種類を検出するための光源検出用センサ５１が設けられている。
【００４６】
上記メインミラー１１はハーフミラー構造になっており、その下側にはサブミラー１２が取り付けられている。ＣＣＤ露光時には、図中の波線で示される位置（図中矢印Ｇ１方向に相当）へ退避する。
【００４７】
このように構成された一眼レフカメラで撮影を行う場合、被写体光線Ａは、先ず撮影レンズ３０を経て、メインミラー１１に入射される。上記メインミラー１１では、その入射光量の２／３がファインダ光学系４５側に反射され、入射光量の残りの１／３はメインミラー１１を透過してサブミラー１２で反射され、ＡＦ光学系１３へ導かれる。
【００４８】
また、ＡＦ光学系１３に於いては、上記被写体光線Ａは、上記視野絞り３５、赤外カットフィルタ３６で不要な赤外光が除去され、コンデンサレンズ３７を通過した後、ミラー３８で反射される。そして、再結像絞り３９、再結像レンズ４０を経て、ＣＣＤ等価面近傍に結像された被写体光像が、ＡＦＩＣ１４に再結像される。
【００４９】
また、上記ファインダ光学系４５に於いては、上記撮影レンズ３０を通過した被写体光像がフォーカシングスクリーン１６に結像される。この結像された像が、コンデンサレンズ４６、接眼レンズ１８を介して、撮影者が撮影画面を観察できるように導かれる。そして、撮影時には、上記メインミラー１１とサブミラー１２が図示矢印Ｇ１方向に退避して、撮影レンズ３０を通過した複写体光像が、シャッタ５２の開口によりＣＣＤ１９に露光される。
【００５０】
図３は、本発明のカメラの測光装置が適用された一眼レフカメラの制御系の構成を示した図である。尚、図３に示される構成部位は、この発明の要旨となる部分のみを示している。
【００５１】
図３に於いて、本実施形態に於ける制御系は、演算処理装置（ＣＰＵ）５５と、インターフェイスＩＣ５６と、ＡＦユニット５７と、複数のスイッチから成るスイッチ（ＳＷ）群５８と、ＥＥＰＲＯＭ５９と、各種のモードを選択するためのモードスイッチ（ＳＷ）群６０の各ユニットで構成されている。
【００５２】
上記ＣＰＵ５５は、通信ラインを介して、インターフェイスＩＣ５６、ＡＦユニット５７、スイッチ群５８、ＥＥＰＲＯＭ５９及びモードスイッチ群６０の各構成部位とデータの送受信を行い、カメラのシステム全体の制御に係わる各種の演算を行う。以下、それぞれの構成部位について説明する。
【００５３】
上記インターフェイスＩＣ５６は、デジタル回路とアナログ回路が混在されたＢｉ−ＣＭＯＳＩＣであって、図示されないモータやマグネットの駆動、測光、バッテリチェック、ＬＥＤ等の点灯回路、フォトインタラプタの波形整形回路等のアナログ処理部とスイッチの入カシリアル通信データ変換等のデジタル処理部で構成されている。
【００５４】
そして、上記ＡＦユニット５７は、上記コンデンサレンズ３７、再結像レンズ４０、ＡＦＩＣ１４等で構成されている。ＡＦＩＣ１４内には２つの光電変換素子列（フォトセンサアレイ）６２が設けられており、上述したように、被写体光像の一部がフォトセンサアレイ６２上に再結像される。
【００５５】
尚、図３に示されるＡＦユニット５７は、一点のＡＦエリアの構成のみが示されているが、本実施の形態ではマルチＡＦが採用されているため、こうした構成を測距エリアの数だけ有している。
【００５６】
上記スイッチ群５８は、２段階に構成されたレリーズスイッチの半押しである第１のストローク（１Ｒ）でオンされるファーストレリーズスイッチ６３と、上記レリーズスイッチの全押しの第２のストローク（２Ｒ）でオンされるセカンドレリーズスイッチ６４等を有して構成されている。
【００５７】
上記ファーストレリーズスイッチ６３がオンされて、カメラのＡＦとレンズ駆動等の動作が行われる。そして、セカンドレリーズスイッチ６４がオンされて、露光に至るようになっている。
【００５８】
上記モードスイッチ群６０は、図１のモードスイッチ２５に相当するもので、カメラの各種モードのスイッチより成っている。例えば、モードスイッチ群６０は、スポット測光モードのオン、オフを設定するためのスポット測光スイッチ６５や、図示されないが、連写モード、コンティニュアスＡＦモード等の選択スイッチを有して構成されている。
【００５９】
上記ＥＥＰＲＯＭ５９は、カメラの動作に関係する種々のデータが格納されているもので、後述するがスポット測光の補正量のデータも、この記憶素子に格納されている。
【００６０】
図４は、上述したＡＦＩＣ１４の詳細な構成を示した図である。
【００６１】
以下、このＡＦＩＣ１４の詳細な構成について説明する。尚、ここでも一点のＡＦエリアのみの構成について説明する。
【００６２】
図４に於いて、左右のフォトセンサアレイ６２Ｌ及び６２Ｒへの入射光に応じて生じる電荷は、増幅回路７０の内部の蓄積コンデンサに、各フォトセンサ（画素）毎に蓄積されて増幅される。上記フォトセンサアレイ６２Ｌ及び６２Ｒの近傍には、それぞれ１つのフォトセンサから成るモニタ用画素７１Ｌ及び７１Ｒが配置されている。
【００６３】
このモニタ用画素７１Ｌ及び７１Ｒは、それぞれフォトセンサアレイ６２Ｌ及び６２Ｒの近傍に存在するので、フォトセンサアレイ６２Ｌ及び６２Ｒが出力する平均的な光電流とほぼ等しい光電流を出力し、モニタ出力回路７３に入力される。そして、モニタ出力回路７３によって変換された信号は、端子ＭＤＡＴＡよりＣＰＵ５５内部のＡ／Ｄコンバータ（図示せず）に出力される。このＭＤＡＴＡに出力される信号は、蓄積コンデンサに蓄積される電荷の蓄積（積分）レベルを示す信号となる。
【００６４】
一方、増幅回路７０によって増幅された各画素信号は、シフトレジスタ７２により、ＣＰＵ５５から出力される端子ＣＬＫのクロック信号に同期して、端子ＳＤＡＴＡより順次出力される。この出力は、ＣＰＵ５５内部のＡ／Ｄコンバータ（図示せず）に入力される。
【００６５】
制御回路７５は、ＣＰＵ５５からの制御信号ＲＥＳＥＴ、ＥＮＤ、ＣＬＫを入力して、ＡＦＩＣ１４内の各ブロックの動作を制御する。増幅回路７０には、インターフェイスＩＣ５６より基準電圧Ｖref が入力され、増幅回路７０内部の基準電位となっている。
【００６６】
温度出力回路７４は、図示されないサーミスタから構成されるもので、ＡＦＩＣ１４の温度データをアナログ信号として、端子ＴＤＡＴＡよりＣＰＵ５５へ出力する。ＣＰＵ５５は、その内部のＡ／Ｄコンバータ内でＡ／Ｄ変換して、ＡＦＩＣ１４の温度データを得る。
【００６７】
図５は、図４に示された各端子へ入出力する信号の状態を示したタイミングチャートである。但し、ここでは、一点のＡＦエリアの構成のみが示される。
【００６８】
上記ＣＰＵ５５より、Ｌ（ロー）レベルのＲＥＳＥＴ（リセット）信号が出力されると、ＡＦＩＣ１４内部のブロックは初期化され、Ｈ（ハイ）レベルのＲＥＳＥＴ信号に同期して、蓄積動作（積分）が開始する。
【００６９】
上述したように、蓄積レベルを示す信号が端子ＭＤＡＴＡに出力される。ここで、図中ａ、ｂは、入射光量の大小を示しており、相対的にａが入射光量大、ｂが入射光量小を示している。
【００７０】
上記ＣＰＵ５５では、蓄積開始後にＭＤＡＴＡ信号をＡ／ＤコンバータによりＡ／Ｄ変換して蓄積レベルをモニタする。そして、図示されるように、ＭＤＡＴＡ信号の値が小さくなる程、各画素の電荷蓄積量が増していくことになる。
【００７１】
更に、適正な蓄積量となった時に、ＣＰＵ５５はＥＮＤ信号を、ＨレベルからＬレベルに変更し、蓄積動作を停止させる。上記ＣＰＵ５５は、この蓄積している時間、すなわちＲＥＳＥＴ信号が、ＬレベルからＨレベルとなって、ＥＮＤ信号がＨレベルからＬレベルとなるまでの時間を内部のカウンタでカウントして、積分時間として記憶する。
【００７２】
次に、上記ＣＰＵ５５は、端子ＣＬＫに画素信号を読み出すためのクロックを出力する。画素信号は、上記端子ＣＬＫのクロックに同期して、順次端子ＳＤＡＴＡに出力される。ＣＰＵ５５では、このＳＤＡＴＡ信号がＡ／Ｄ変換されて、内部の所定の記憶領域に画素データとして記憶される。
【００７３】
また、ＡＦＩＣ１４はマルチＡＦであるので、図５に示された積分動作が各エリアで並行して行われ、全エリアの積分動作が終了すると、画素データは順に読み出される。
【００７４】
図６は、ファインダ内の焦点検出センサの配置とスポット測光領域の例を示した図である。
【００７５】
本実施の形態では、画面枠８０内に、複数のラインセンサとスポット測光領域が、図示形状に配置されている。
【００７６】
図６に示されるように、中央部のラインセンサは、縦横に交差して十字形状の配置を取る中央横ラインセンサ８２と、中央縦ラインセンサ８３で構成される。また、周辺部は、左右に縦ラインセンサが配置されており、右縦ラインセンサ８４と左縦ラインセンサ８５で構成されている。すなわち、本実施形態に於けるラインセンサは、中央、右、左の３点マルチＡＦの構成であり、中央部のみ２点で構成されているので、ラインセンサ数でいえば４点マルチＡＦの構成である。
【００７７】
また、ファインダ内のフォーカシングスクリーン１６には、スポット測光領域を表すサークル８１が描かれており、横ラインセンサ８２と縦ラインセンサ８３で構成される領域が含まれている。横ラインセンサ８２若しくは縦ラインセンサ８３の出力が演算されることによって、ほぼサークル８１内に存在する被写体の輝度がスポット測光される。
【００７８】
図７は、フリッカキャンセルの概念を示したもので、（ａ）はＡＦセンサによるスポット測光動作を説明するための図、（ｂ）はファインダ内ＡＥセンサによる測光動作を説明するための図、である。
【００７９】
図７（ａ）に於いて、積分型のＡＦセンサの場合、積分時間がフリッカよりも長い場合（例えば、１０ｍｓ）はフリッカキャンセルの必要はないが、積分時間が短い場合はフリッカキャンセルが必要である。積分時間が短い場合、例えば、２０ｍｓの間に連続的に８回積分が実行されて読出され、更に測光演算がなされたものから、平均処理が行われて、最終的な測光値が得られる。
【００８０】
一方、図７（ｂ）に於いて、積分型でないＡＥセンサの場合、例えば蛍光灯のフリッカが５０Ｈｚで１０ｍｓ毎に発生するが、測光時間が５ｍｓであれば４回行われたものから平均処理されて測光値が得られる。
【００８１】
次に、図８のフローチャートを参照して、本実施形態に於ける一眼レフカメラの動作について説明する。尚、このメインルーチンは、ファーストレリーズスイッチ６３がオンされた後に実行されるものである。
【００８２】
図示されないパワーオンスイッチがオンされると、各部位の初期化が行われて、カメラが撮影可能状態にされる。そして、ステップＳ１にて、測距（ＡＦ）動作と測光（ＡＥ）動作以外の処理が行われる。尚、ここでの処理は、この発明とは直接関係がないので、全てまとめてその他の処理として表記する。
【００８３】
続くステップＳ２では、サブルーチン「ＡＦ／ＡＥの処理」の動作が行われる。このサブルーチン「ＡＦ／ＡＥの処理」の詳細な動作については後述する。そして、ステップＳ３に於いて、上記ステップＳ２のＡＦ処理により合焦したか否かが判断される。ここで、まだ合焦していない場合は、ステップＳ４へ移行して、デフォーカス量がレンズ側に通信される。
【００８４】
続くステップＳ５では、通信により送られたデフォーカス量に基づいて、撮影レンズ３０が駆動される。そして、ステップＳ６にて、上記ステップＳ５のレンズ駆動後に合焦したか否かが判断される。その結果、まだ合焦していない場合は上記ステップＳ２へ移行してＡＦ、ＡＥの処理が行われる。
【００８５】
上記ステップＳ３またはステップＳ６にて合焦したと判断された場合は、ステップＳ７に於いて、セカンドレリーズスイッチ６４がオンされたか否かが判断される。ここで、セカンドレリーズスイッチ６４がオンされていない場合はステップＳ８へ移行し、オンされている場合はステップＳ１０へ移行する。
【００８６】
ステップＳ８では、コンティニュアスＡＦモードであるか否かが判断される。コンティニュアスＡＦモードとは、連続的にＡＦとレンズ駆動を行う移動被写体の撮影に適するモードである。ここで、コンティニュアスＡＦモードである場合は上記ステップＳ２へ移行し、引き続きＡＦ／ＡＥの処理が行われる。一方、上記ステップＳ８にて、コンティニュアスＡＦモードでない場合は、ステップＳ９に移行してセカンドレリーズスイッチ６４がオンされるまで待機し、オンされたならばステップＳ１０へ移行する。
【００８７】
ステップＳ１０では、メインミラー１１、シャッタ５２、絞り３２等の露光シーケンスの処理が行われる。そして、ステップＳ１１にて撮影された画像のデータが記憶される。その後、ステップＳ１２にて連写モードであるか否かが判断され、連写モードである場合は上記ステップＳ１へ移行し、連写モードでない場合は本シーケンスが終了する。
【００８８】
図９は、図８のフローチャートに於けるステップＳ２のサブルーチン「ＡＦ／ＡＥの処理」の動作を説明するフローチャートである。
【００８９】
本サブルーチンに入ると、先ずステップＳ２１に於いて、スポット（ＳＰＯＴ）測光モードであるか否かが判断される。ここで、スポット測光モードでない場合は、ステップＳ２２に移行して、ファインダ内のＡＥセンサ４８による測光が行われる。次いで、ステップＳ２３では、ＡＦセンサ（ＡＦＩＣ）１４の積分動作が行われる。更に、ステップＳ２４では、上記ＡＦセンサ１４の読み出しが行われ、ステップＳ２５ではＡＦの演算が行われる。その後、本ルーチンを抜ける。
【００９０】
一方、上記ステップＳ２１にてスポット測光モードであると判断された場合は、ステップＳ２６へ移行して、サブルーチン「スポット測光１回実行」にて、スポット測光が１回行われる。このサブルーチン「スポット測光１回実行」の詳細な動作については後述する。
【００９１】
次いで、ステップＳ２７では、スポット測光時のセンサデータが用いられてＡＦ演算が行われる。そして、ステップＳ２８に於いて、積分時間（図５参照）が所定時間（例えば１０ｍｓ）と比較される。ここで、積分時間が所定時間より長い、すなわち被写体が暗い場合は、ステップＳ２９へ移行して、上記ステップＳ２６で得られた１回目の測光値が輝度値として設定される。その後、本ルーチンを抜ける。
【００９２】
また、上記ステップＳ２８にて、上記積分値が所定時間以下である場合は、ステップＳ３０へ移行して、撮影モードが連写モード、若しくはコンティニュアスＡＦモードであるのか否かが判断される。ここで、撮影モードが連写モード、若しくはコンティニュアスＡＦモードである場合はステップＳ３２へ移行し、そうでない場合はステップＳ３１へ移行する。
【００９３】
ステップＳ３１では、測光にそれほどの応答性を必要としないので、所定回数（例えば８回）が、第１所定回数として設定される。一方、撮影モードが連写モード、若しくはコンティニュアスＡＦモードである場合は、ＡＦセンサを測光に用いるよりもＡＦの応答性を重要視するので、上記ステップＳ３１の所定回数よりも少ない所定回数（例えば２回）が第２所定回数として設定される。
【００９４】
その後、ステップＳ３３では、上記ステップＳ２６と同様に、サブルーチン「スポット測光１回実行」が実行される。そして、続くステップＳ３４に於いて、上記ステップＳ３１若しくはステップＳ３２で設定された所定回数分、スポット測光が実行されたか否かが判断される。
【００９５】
ここで、当該所定回数に達していない場合は、上記ステップＳ３３へ移行して、所定回数に達するまでスポット測光が繰り返される。そして、所定回数スポット測光が行われたならば、ステップＳ３５に移行して実行されたスポット測光を基に、輝度値が平均処理される。その後、本ルーチンを抜ける。
【００９６】
次に、図１０のフローチャートを参照して、図９のフローチャートに於けるステップＳ２６及びＳ３３のサブルーチン「スポット測光演算」の詳細な動作を説明する。
【００９７】
本ルーチンに入ると、先ず、ステップＳ４１にて、ＡＦセンサ積分動作が実行される。これは、上述した図９のフローチャートに於けるステップＳ２３の処理動作と同様である。次いで、ステップＳ４２にて、中央横ラインセンサ８２のセンサデータが取得される。そして、ステップＳ４３にて、中央横ラインセンサ８２の積分時間（Ｔ）のデータが取得される。
【００９８】
ステップＳ４４では、センサデータの和ΣＤが演算される。そして、ステップＳ４５にて、底を２として上記和ΣＤの対数が演算される。更に、ステップＳ４６では、上記積分時間Ｔについての対数が演算される。
【００９９】
そして、ステップＳ４７に於いて、中央横ラインセンサ８２に対する輝度値ＢＶ１が、下記（１）式により求められる。  
ＢＶ１＝係数×（補正値＋（ｌｏｇΣＤ−ｌｏｇＴ））              …（１）  
但し、上記係数、補正値は、カメラの製造上の値であり、予め定められてＥＥＰＲＯＭ５９に記憶されている。
【０１００】
ステップＳ４８では、上述したステップＳ４２の中央横ラインセンサ８２の場合と同様にして、中央縦ラインセンサ８３のセンサデータが取得される。そして、ステップＳ４９にて、中央縦ラインセンサ８３の積分時間（Ｔ）のデータが取得される。
【０１０１】
ステップＳ５０では、センサデータの和ΣＤが演算される。そして、ステップＳ５１にて、底を２として上記和ΣＤの対数が演算される。更に、ステップＳ５２では、上記積分時間Ｔについての対数が演算される。
【０１０２】
次いで、ステップＳ５３に於いて、中央縦ラインセンサ８３に対する輝度値ＢＶ２が、下記（２）式により求められる。  
ＢＶ２＝係数×（補正値＋（ｌｏｇΣＤ−ｌｏｇＴ））              …（２）  
但し、上記係数、補正値は、カメラの製造上の値であり、予め定められてＥＥＰＲＯＭ５９に記憶されている。
【０１０３】
そして、ステップＳ５４に於いて、上記ステップＳ４７及びステップＳ５３で得られた輝度値ＢＶ１及びＢＶ２から、下記（３）式の如くスポット測光輝度値ＢＶが求められる。  
ＢＶ＝（ＢＶ１＋ＢＶ２）／２                                    …（３）  
こうして、スポット測光による輝度値ＢＶが求められると、本ルーチンを抜ける。
【０１０４】
（第２の実施形態）
次に、本発明の第２の実施形態について説明する。
【０１０５】
上述した第１の実施形態では、スポット測光を所定回数行うことで制限していたが、この第２の実施形態では、トータルの積分時間に応じてスポット測光を制限するものである。
【０１０６】
図１１は、本発明の第２の実施形態に於けるフリッカキャンセルの概念を説明するための図である。
【０１０７】
積分動作が複数回実行されると、そのトータルの積分時間が所定時間に到達するので、この時間によってスポット測光の制限が行われる。この図１１に示される例の場合、積分４回目でトータルの積分時間に到達する。
【０１０８】
図１２は、本発明の第２の実施形態を説明するもので、図８のフローチャートに於けるステップＳ２のサブルーチン「ＡＦ／ＡＥの処理」の動作を説明するフローチャートである。
【０１０９】
本サブルーチンに入ると、先ずステップＳ６１に於いて、スポット（ＳＰＯＴ）測光モードであるか否かが判断される。ここで、スポット測光モードでない場合は、ステップＳ６２に移行して、ファインダ内のＡＥセンサ４８による測光が行われる。次いで、ステップＳ６３では、ＡＦセンサ（ＡＦＩＣ）１４の積分動作が行われる。更に、ステップＳ６４では、上記ＡＦセンサ１４の読み出しが行われ、ステップＳ６５ではＡＦの演算が行われる。その後、本ルーチンを抜ける。
【０１１０】
一方、上記ステップＳ６１にてスポット測光モードであると判断された場合は、ステップＳ６６へ移行して、サブルーチン「スポット測光１回実行」にて、スポット測光が１回行われる。このサブルーチン「スポット測光１回実行」の詳細な動作については図１０のフローチャートで既に説明したので省略する。
【０１１１】
ステップＳ６７では、スポット測光時のセンサデータが用いられてＡＦ演算が行われる。そして、ステップＳ６８に於いて、積分時間（図５参照）が所定時間（例えば１０ｍｓ）と比較される。ここで、積分時間が所定時間より長い、すなわち被写体が暗い場合は、ステップＳ６９へ移行して、上記ステップＳ６６で得られた１回目の測光値が輝度値として設定される。その後、本ルーチンを抜ける。
【０１１２】
上記ステップＳ６８にて、上記積分値が所定時間以下である場合は、ステップＳ７０へ移行して、撮影モードが連写モード、若しくはコンティニュアスＡＦモードであるのか否かが判断される。ここで、撮影モードが連写モード、若しくはコンティニュアスＡＦモードである場合はステップＳ７２へ移行し、そうでない場合はステップＳ７１へ移行する。
【０１１３】
ステップＳ７１では、測光にそれほどの応答性を必要としないので、所定時間が、第１所定時間として設定される。一方、撮影モードが連写モード、若しくはコンティニュアスＡＦモードである場合は、ＡＦセンサを測光に用いるよりもＡＦの応答性を重要視するので、上記ステップＳ７１の所定時間よりも短い所定時間が第２所定時間として設定される。
【０１１４】
その後、ステップＳ７３では、上記ステップＳ６６と同様に、サブルーチン「スポット測光１回実行」が実行される。そして、続くステップＳ７４に於いて、上記ステップＳ７１若しくはステップＳ７２で設定された所定時間分、スポット測光が実行されたか否かが判断される。
【０１１５】
ここで、トータル積分時間が当該所定時間に達していない場合は、上記ステップＳ７３へ移行して、所定時間に達するまでスポット測光が繰り返される。そして、上記トータル積分時間が所定時間に達したならば、ステップＳ７５に移行して実行されたスポット測光を基に、輝度値が平均処理される。その後、本ルーチンを抜ける。
【０１１６】
（第３の実施形態）
次に、図１３のフローチャートを参照して、本発明の第３の実施形態について説明する。
【０１１７】
上述した第１の実施形態ではスポット測光を所定回数行うことで制限していたが、この第３の実施形態では、上述した第１の実施形態のスポット測光の制限に光源の種類の判断を加えたものである。
【０１１８】
したがって、図１３のフローチャートに於いて、ステップＳ８２〜Ｓ９０及びステップＳ９２〜Ｓ９７の処理動作は、上述した図９のフローチャートに於けるステップＳ２１〜Ｓ２９及びステップＳ３０〜Ｓ３５と同じであるので説明は省略し、異なるステップについてのみ説明する。
【０１１９】
図１３のサブルーチン「ＡＦ／ＡＥの処理」に入ると、先ずステップＳ８１にて、光源検出用センサ５１が駆動されて光源検知動作が行われる。次いで、ステップＳ８２に於いて、スポット（ＳＰＯＴ）測光モードであるか否かが判断される。
【０１２０】
そして、ステップＳ８９に於いて、積分時間（図５参照）が所定時間（例えば１０ｍｓ）と比較された結果、上記積分値が所定時間以下である場合は、ステップＳ９１へ移行する。このステップＳ９１では、照明光である光源が蛍光灯であるか否かが判断される。ここで、光源が蛍光灯である場合はステップＳ９２へ移行して、撮影モードが連写モード、若しくはコンティニュアスＡＦモードであるのか否かが判断される。一方、光源が蛍光灯以外の照明光であれば、ステップＳ９０へ移行する。
【０１２１】
尚、上記ステップＳ９１に於ける光源判断の技術は公知であるので、ここでの説明は省略する。
【０１２２】
（第４の実施形態）
上述した第１の実施形態に於いてはスポット測光を所定回数行うことで制限していたのに対し、本発明の第４の実施形態は積分時間に応じて上記所定回数を変更するようにしたものである。
【０１２３】
尚、図１４のフローチャートに於いて、ステップＳ１０１〜Ｓ１１０及びステップＳ１１４〜Ｓ１１６の処理動作は、上述した図９のフローチャートに於けるステップＳ２１〜Ｓ３０及びステップＳ３３〜Ｓ３５と同じであるので説明は省略し、異なるステップについてのみ説明する。
【０１２４】
ステップＳ１１０に於いて、撮影モードが連写モード、若しくはコンティニュアスＡＦモードであるのか否かが判断される。ここで、撮影モードが連写モード、若しくはコンティニュアスＡＦモードでない場合はステップＳ１１２へ移行する。
【０１２５】
ステップＳ１１２では、積分時間に応じてフリッカキャンセルの所定回数が変更される。ここで、積分時間と上記所定回数との関係は、例えば図１５に示されるように決定される。すなわち、積分時間が１ｍｓ未満であればフリッカキャンセル回数は８回、積分時間が１ｍｓ以上５ｍｓ未満であればフリッカキャンセル回数は４回、そして積分時間が５ｍｓ以上１０ｍｓ未満であればフリッカキャンセル回数は２回に決定される。ここで決定されたフリッカキャンセル回数に基づいて、ステップＳ１１５に於いて所定回数の判断が行われる。
【０１２６】
一方、上記ステップＳ１１０に於いて、撮影モードが連写モード、若しくはコンティニュアスＡＦモードである場合は、ステップＳ１１３に移行して、所定回数が第１所定回数として設定される。
【０１２７】
（第５の実施形態）
次に、図１６乃至図１８を参照して、本発明の第５の実施形態について説明する。
【０１２８】
図１６は、本発明の第５の実施形態に於けるフリッカキャンセルの概念を説明するための図である。
【０１２９】
同図に於いて、ＡＦセンサ１４の積分動作は、実際に行われる積分の間隔が長い場合と積分間隔が短い場合がある。実際の積分動作に要する時間は同じであっても、その間隔が異なるので、トータル的な積分時間に差が生じている。したがって、この第５の実施形態は、こうした積分間隔に応じてフリッカキャンセルの回数を変更しようとしたものである。
【０１３０】
図１７は、本第５の実施形態を説明するもので、図８のフローチャートに於けるステップＳ２のサブルーチン「ＡＦ／ＡＥの処理」の動作を説明するフローチャートである。
【０１３１】
尚、図１７のフローチャートに於いて、ステップＳ１２１〜Ｓ１２９及びステップＳ１３４〜Ｓ１３６の処理動作は、上述した図９のフローチャートに於けるステップＳ２１〜Ｓ２９及びステップＳ３３〜Ｓ３５と同じであるので説明は省略し、異なるステップについてのみ説明する。
【０１３２】
ステップＳ１２８に於いて、積分値が所定時間以下である場合は、ステップＳ１３０へ移行して、サブルーチン「スポット測光１回実行」が行われる。その後、ステップＳ１３１に於いて、撮影モードが連写モード、若しくはコンティニュアスＡＦモードであるのか否かが判断される。ここで、撮影モードが連写モード、若しくはコンティニュアスＡＦモードでない場合はステップＳ１３２へ移行する。
【０１３３】
ステップＳ１３２では、積分間隔に応じてフリッカキャンセルの所定回数が変更される。ここで、積分間隔と上記所定回数との関係は、例えば図１８に示されるように決定される。すなわち、積分間隔が３ｍｓ未満であればフリッカキャンセル回数は８回、積分間隔が３ｍｓ以上１０ｍｓ未満であればフリッカキャンセル回数は４回、そして積分間隔が１０ｍｓ以上であればフリッカキャンセル回数は２回に決定される。ここで決定されたフリッカキャンセル回数に基づいて、ステップＳ１３５に於いて所定回数の判断が行われる。
【０１３４】
一方、上記ステップＳ１３１に於いて、撮影モードが連写モード、若しくはコンティニュアスＡＦモードである場合は、ステップＳ１３３に移行して、所定回数が第１所定回数として設定される。
【０１３５】
以上、本発明の実施形態について説明したが、本発明は上述した実施形態に限定されるものではなく、本発明の要旨を逸脱しない範囲で種々の変形実施が可能であるのは勿論である。
【図面の簡単な説明】
【０１３６】
【図１】本発明のカメラの測光装置が適用された一眼レフレックスカメラ（以下、一眼レフカメラと略記する）の概念を示したブロック構成図である。
【図２】本発明の第１の実施形態による一眼レフカメラの光学系の構成を詳細に示した図である。
【図３】本発明のカメラの測光装置が適用された一眼レフカメラの制御系の構成を示した図である。
【図４】本発明の第１の実施形態に係るＡＦＩＣ１４の詳細な構成を示した図である。
【図５】図４に示された各端子へ入出力する信号の状態を示したタイミングチャートである。
【図６】ファインダ内の焦点検出センサの配置とスポット測光領域の例を示した図である。
【図７】フリッカキャンセルの概念を示したもので、（ａ）は（ｂ）はファインダ内ＡＥセンサによる測光動作を説明するための図、（ｂ）はＡＦセンサによるスポット測光動作を説明するための図である。
【図８】本発明の第１の実施形態に於ける一眼レフカメラの動作について説明するフローチャートである。
【図９】図８のフローチャートに於けるステップＳ２のサブルーチン「ＡＦ／ＡＥの処理」の動作を説明するフローチャートである。
【図１０】図９のフローチャートに於けるステップＳ２６及びＳ３３のサブルーチン「スポット測光演算」の詳細な動作を説明する。
【図１１】本発明の第２の実施形態に於けるフリッカキャンセルの概念を説明するための図である。
【図１２】本発明の第２の実施形態を説明するもので、図８のフローチャートに於けるステップＳ２のサブルーチン「ＡＦ／ＡＥの処理」の動作を説明するフローチャートである。
【図１３】本発明の第３の実施形態について説明するもので、図８のフローチャートに於けるステップＳ２のサブルーチン「ＡＦ／ＡＥの処理」の動作を説明するフローチャートである。
【図１４】本発明の第４の実施形態について説明するもので、図８のフローチャートに於けるステップＳ２のサブルーチン「ＡＦ／ＡＥの処理」の動作を説明するフローチャートである。
【図１５】積分時間とフリッカキャンセル回数との関係の例を示した図である。
【図１６】本発明の第５の実施形態に於けるフリッカキャンセルの概念を説明するための図である。
【図１７】本発明の第５の実施形態について説明するもので、図８のフローチャートに於けるステップＳ２のサブルーチン「ＡＦ／ＡＥの処理」の動作を説明するフローチャートである。
【図１８】積分間隔とフリッカキャンセル回数との関係の例を示した図である。
【図１９】ＡＦセンサを利用して被写体輝度をスポット的に測光する従来の技術を説明する図である。
【符号の説明】
【０１３７】
１１…メインミラー、１２…サブミラー、１３…ＡＦ光学系、１４…マルチＡＦセンサ（ＡＦＩＣ）、１６…フォーカシングスクリーン、１７…ペンタプリズム、１８…接眼レンズ、１９…撮像素子、２１…ＡＦセンサ制御部、２２…スポット測光演算部、２３…焦点演算部、２４…フリッカキャンセル判断部、２５…モードスイッチ、３０…撮影レンズ、３２…絞り、４５…ファインダ光学系、５０…光源検出部、５１…光源検出用センサ、５２…シャッタ、５５…演算処理装置（ＣＰＵ）、５６…インターフェースＩＣ、５７…ＡＦユニット、５８…スイッチ（ＳＷ）群、５９…ＥＥＰＲＯＭ、６０…モードスイッチ（ＳＷ）群、６５…スポット測光スイッチ（ＳＷ）。
【図１】
2006146058.tif 000003
【図２】
2006146058.tif 000004
【図３】
2006146058.tif 000005
【図４】
2006146058.tif 000006
【図５】
2006146058.tif 000007
【図６】
2006146058.tif 000008
【図７】
2006146058.tif 000009
【図８】
2006146058.tif 000010
【図９】
2006146058.tif 000011
【図１０】
2006146058.tif 000012
【図１１】
2006146058.tif 000013
【図１２】
2006146058.tif 000014
【図１３】
2006146058.tif 000015
【図１４】
2006146058.tif 000016
【図１５】
2006146058.tif 000017
【図１６】
2006146058.tif 000018
【図１７】
2006146058.tif 000019
【図１８】
2006146058.tif 000020
【図１９】
2006146058.tif 000021